(57)【要約】【課題】帯電したインクミストが、センサーを覆うカバー部材に付着し、センサーによる用紙の有無を検出する精度が低下してしまうという課題がある。【解決手段】発光部１３と受光部１４とを有する検出部１２と、液体としてのインクを噴射する液体噴射ヘッド１０と、検出部１２を覆う透明なカバー部材１８と、導電性を有し、液体噴射ヘッド１０と対向し、搬送される被記録媒体としての用紙Ｐを支持する支持部８と、を備え、カバー部材１８の空気に対する帯電極性は、液体噴射ヘッド１０から噴射されたインクから生じたミストであるインクミストの帯電極性と同極性である液体噴射装置を提供する。【選択図】図２
2013119224.tif 000002
【特許請求の範囲】
【請求項１】
発光部と受光部とを有する検出部と、
液体を噴射する液体噴射ヘッドと、
前記検出部を覆う透明なカバー部材と、
導電性を有し、前記液体噴射ヘッドと対向し、搬送される被記録媒体を支持する支持部と、を備え、
前記カバー部材の空気に対する帯電極性は、前記液体噴射ヘッドから噴射された前記液体から生じたミストの帯電極性と同極性であることを特徴とする液体噴射装置。
【請求項２】
請求項１に記載の液体噴射装置であって、
前記カバー部材の空気に対する帯電極性は、正極性であることを特徴とする液体噴射装置。
【請求項３】
請求項２に記載の液体噴射装置であって、
前記カバー部材は、ガラスまたはナイロンであることを特徴とする液体噴射装置。
【請求項４】
発光部と、受光部と、前記発光部を覆う発光用レンズと、前記受光部を覆う受光用レンズと、を有する検出部と、
液体を噴射する液体噴射ヘッドと、
前記液体噴射ヘッドと対向し、搬送される被記録媒体を支持する支持部と、を備え、
前記発光用レンズ及び前記受光用レンズの空気に対する帯電極性は、前記液体噴射ヘッドから噴射された前記液体から生じたミストの帯電極性と同極性であることを特徴とする液体噴射装置。
【請求項５】
請求項４に記載の液体噴射装置であって、
前記発光用レンズ及び前記受光用レンズの空気に対する帯電極性が正極性であることを特徴とする液体噴射装置。
【請求項６】
請求項５に記載の液体噴射装置であって、
前記発光用レンズ及び前記受光用レンズはガラスまたはナイロンであることを特徴とする液体噴射装置。
【請求項７】
請求項１から請求項６のいずれか一項に記載の液体噴射装置であって、
前記液体噴射ヘッドは導電性を有するノズルプレートを有し、前記ノズルプレートの電位と前記支持部の電位は同じであることを特徴とする液体噴射装置。
【請求項８】
請求項１から請求項７のいずれか一項に記載の液体噴射装置であって、
前記支持部は接地されていることを特徴とする液体噴射装置。
【請求項９】
請求項１から請求項８のいずれか一項に記載の液体噴射装置であって、
前記液体噴射ヘッドは導電性を有するノズルプレートと、
前記液体噴射ヘッドと対向し、導電性を有する対向部と、を備え、
前記ノズルプレートの電位と前記対向部の電位は同じであることを特徴とする液体噴射装置。
【請求項１０】
請求項１から請求項９のいずれか一項に記載の液体噴射装置であって、
前記対向部は、接地されていることを特徴とする液体噴射装置。
【請求項１１】
請求項１から請求項１０のいずれか一項に記載の液体噴射装置であって、
前記検出部は、前記被記録媒体の有無を検出することを特徴とする液体噴射装置。
【請求項１２】
請求項１から請求項１０のいずれか一項に記載の液体噴射装置であって、
液体を収容する液体容器を備え、
前記検出部は、前記液体の有無を検出することを特徴とする液体噴射装置。
【発明の詳細な説明】
【技術分野】
【０００１】
本発明は、液体噴射装置に関する。
【背景技術】
【０００２】
支持部材に沿って搬送される用紙などの被記録媒体に、液体としてのインクを液体噴射ヘッドから噴射して画像を形成する液体噴射装置の一例であるインクジェット式プリンターでは、発光素子から支持部材側に照射し、受光素子によって反射された反射光を受光し、用紙の有無を検出するセンサーが備えられたものがある。センサーに塵などが付着すると、用紙の検出精度が低下してしまう。
例えば、特許文献１では、用紙の有無を検出するセンサーの周りを囲うカバー部材としての防塵壁を備え、紙粉がセンサーに付着することを防止する記録装置が開示されている。
【先行技術文献】
【特許文献】
【０００３】
【特許文献１】特開２００５−２５４７０２号公報
【発明の概要】
【発明が解決しようとする課題】
【０００４】
しかしながら、インクジェット式プリンターでは、液体噴射ヘッドからのインク滴の噴射に伴って、インクミストが発生する。液体噴射ヘッドからインク滴が噴射されると、インク滴やインク滴の噴射に伴って発生したインクミストが帯電する。そのため、帯電したインクミストが、センサーを覆うカバー部材に付着し、センサーによる用紙の有無を検出する精度が低下してしまうという課題がある。
【課題を解決するための手段】
【０００５】
本発明は、上述の課題の少なくとも一部を解決するためになされたものであり、以下の形態または適用例として実現することが可能である。
【０００６】
［適用例１］発光部と受光部とを有する検出部と、液体を噴射する液体噴射ヘッドと、前記検出部を覆う透明なカバー部材と、導電性を有し、前記液体噴射ヘッドと対向し、搬送される被記録媒体を支持する支持部と、を備え、前記カバー部材の空気に対する帯電極性は、前記液体噴射ヘッドから噴射された前記液体から生じたミストの帯電極性と同極性であることを特徴とする液体噴射装置。
【０００７】
本適用例によれば、カバー部材の空気に対する帯電極性は、液体噴射ヘッドから噴射された液体から生じたミストの帯電極性と同極性である。これにより、カバー部材は、ミストを反発する。そのため、検出部を覆うカバー部材にミストが付着してしまうことが抑制されるので、検出部の検出精度が低下することを抑制できる。
【０００８】
［適用例２］前記カバー部材の空気に対する帯電極性は、正極性であることを特徴とする上記液体噴射装置。
【０００９】
本適用例によれば、正極性に帯電したミストを反発することができる。
【００１０】
［適用例３］前記カバー部材は、ガラスまたはナイロンであることを特徴とする上記液体噴射装置。
【００１１】
本適用例によれば、カバー部材は、空気に対して正極性に帯電し、正極性に帯電したミストを反発することができる。
【００１２】
［適用例４］発光部と、受光部と、前記発光部を覆う発光用レンズと、前記受光部を覆う受光用レンズと、を有する検出部と、液体を噴射する液体噴射ヘッドと、前記液体噴射ヘッドと対向し、搬送される被記録媒体を支持する支持部と、を備え、前記発光用レンズ及び前記受光用レンズの空気に対する帯電極性は、前記液体噴射ヘッドから噴射された前記液体から生じたミストの帯電極性と同極性であることを特徴とする液体噴射装置。
【００１３】
本適用例によれば、発光用レンズ及び受光用レンズの空気に対する帯電極性は、液体噴射ヘッドから噴射された液体から生じたミストの帯電極性と同極性である。これにより、発光用レンズ及び受光用レンズは、ミストを反発する。そのため、発光用レンズ及び受光用レンズにミストが付着してしまうことが抑制されるので、検出部の検出精度が低下することを抑制できる。
【００１４】
［適用例５］前記発光用レンズ及び前記受光用レンズの空気に対する帯電極性が正極性であることを特徴とする上記液体噴射装置。
【００１５】
本適用例によれば、発光用レンズ及び受光用レンズは、正極性に帯電したミストを反発することができる。
【００１６】
［適用例６］前記発光用レンズ及び前記受光用レンズはガラスまたはナイロンであることを特徴とする上記液体噴射装置。
【００１７】
本適用例によれば、発光用レンズ及び受光用レンズは、空気に対して正極性に帯電し、正極性に帯電したミストを反発することができる。
【００１８】
［適用例７］前記液体噴射ヘッドは導電性を有するノズルプレートを有し、前記ノズルプレートの電位と前記支持部の電位は同じであることを特徴とする上記液体噴射装置。
【００１９】
本適用例によれば、ノズルプレートと支持部との間に電界が発生しない。これにより、ミストが正極性に帯電する可能性が高い。
【００２０】
［適用例８］前記支持部は接地されていることを特徴とする上記液体噴射装置。
【００２１】
本適用例によれば、ミストが正極性に帯電する可能性が高い。
【００２２】
［適用例９］前記液体噴射ヘッドは導電性を有するノズルプレートと、前記液体噴射ヘッドと対向し、導電性を有する対向部と、を備え、前記ノズルプレートの電位と前記対向部の電位は同じであることを特徴とする上記液体噴射装置。
【００２３】
本適用例によれば、ノズルプレートと対向部との間に電界が発生しない。これにより、ミストが正極性に帯電する可能性が高い。
【００２４】
［適用例１０］前記対向部は、接地されていることを特徴とする上記液体噴射装置。
【００２５】
本適用例によれば、ミストが正極性に帯電する可能性が高い。
【００２６】
［適用例１１］前記検出部は、前記被記録媒体の有無を検出することを特徴とする上記液体噴射装置。
【００２７】
本適用例によれば、被記録媒体の有無を検出する精度が低下することを抑制できる。
【００２８】
［適用例１２］液体を収容する液体容器を備え、前記検出部は、前記液体の有無を検出することを特徴とする上記液体噴射装置。
【００２９】
本適用例によれば、液体容器に収容される液体の有無を検出する精度が低下することを抑制できる。
【図面の簡単な説明】
【００３０】
【図１】液体噴射装置の概略斜視図。
【図２】（ａ）は、キャリッジに備えられた液体噴射ヘッドと検出部を示す図、（ｂ）は検出部を含む部分の拡大図。
【図３】液体噴射ヘッドから用紙に向かってインクを噴射する様子を示す模式図。
【図４】インクミストが帯電する様子を説明するための模式図。
【図５】（ａ）は、実施形態２における液体噴射ヘッドと支持部を示す模式図、（ｂ）は、実施形態３における液体噴射ヘッドと支持部を示す模式図。
【図６】実施形態４におけるインクカートリッジの斜視図。
【図７】実施形態４におけるインクカートリッジと検出部を示す模式図。
【発明を実施するための形態】
【００３１】
以下、本発明の実施形態について、図面を参照して説明する。
（実施形態１）
図１は、本実施形態の液体噴射装置の一例としてのインクジェット式プリンター（以下「プリンター」という）１の概略斜視図である。
【００３２】
被記録媒体としての用紙Ｐが、紙送りモーター７によって回転駆動される紙送りローラー（不図示）と回転自由な従動ローラー（不図示）に挟まれながら、用紙Ｐを支持する支持部８に沿って搬送方向Ｄ２に搬送される。
【００３３】
プリンター１のキャリッジ５は、キャリッジモーター６により駆動されるタイミングベルト３によって、ガイド軸２に案内されて搬送方向Ｄ２と交わる移動方向Ｄ１に往復移動されるように構成されている。
【００３４】
プリンター１には、一定間隔のスリットが移動方向Ｄ１に亘って描かれたリニアスケール４と、キャリッジ５に固定された光学系センサー（不図示）からなるリニアエンコーダーが備えられる。光学系センサーによって、スリットを検出し、移動方向Ｄ１におけるキャリッジ５の位置を検出することができる。
【００３５】
キャリッジ５には、モノクロ、イエロー、マゼンタ、シアンのインクが収容される液体容器である４個のインクカートリッジ９が着脱可能に搭載される。キャリッジ５の鉛直方向Ｄ３下側には、液体としてのインクを噴射する液体噴射ヘッド１０が備えられる。
【００３６】
支持部８の搬送方向Ｄ２上流側におけるインクカートリッジ９の鉛直方向Ｄ３下側には、インクカートリッジ９に収容されるインクの有無を検出する検出部３０が備えられる。
【００３７】
プリンター１は、液体噴射ヘッド１０を移動させながら、搬送される用紙Ｐに液体噴射ヘッド１０からインクを噴射し、用紙Ｐに画像を形成する。
【００３８】
図２（ａ）は、移動方向Ｄ１から見た図で、キャリッジ５に備えられた液体噴射ヘッド１０と検出部１２を示す図である。キャリッジ５の支持部８側には、ノズルプレート１１が設けられた液体噴射ヘッド１０が備えられる。
【００３９】
また、キャリッジ５の支持部８側には、検出部１２が備えられる。図２（ｂ）は、図２（ａ）の検出部１２を含む部分Ａの拡大図である。回路基板１５には、発光ダイオード１３ａ、発光用レンズ１３ｂ、発光ダイオード１３ａと発光用レンズ１３ｂを保持する保持部１３ｃなどによって構成される発光部１３が配置される。
【００４０】
また、回路基板１５には、フォトトランジスター１４ａ、受光用レンズ１４ｂ、フォトトランジスター１４ａと受光用レンズ１４ｂを保持する保持部１４ｃなどによって構成される受光部１４が配置される。検出部１２は、発光部１３、受光部１４、回路基板１５などを含んで構成される。
【００４１】
検出部１２は、キャリッジ５に設けられた開口部１６に備えられる。開口部１６における支持部８側は、検出部１２を覆うようにして、カバー部材１８が備えられる。カバー部材１８は、カバー部材保持部１７によって保持される。
【００４２】
カバー部材１８は、透明性を有するガラスによって形成されている。カバー部材１８を、透明性を有するナイロンによって形成してもよい。これにより、カバー部材１８の空気に対する帯電列は正極性となる。
【００４３】
発光部１３から支持部８側に向かって照射された光は、カバー部材１８を透過する。支持部８または用紙Ｐによって反射された反射光は、カバー部材１８を再び透過し、受光部１４によって受光される。これにより、検出部１２によって、支持部８に沿って搬送される用紙Ｐの有無が検出される。
【００４４】
また、検出部１２は、開口部１６の内壁とカバー部材１８とによって封止されているので、インクミストが発光部１３や受光部１４に付着することを防止し、用紙Ｐの有無の検出精度が低下してしまうことを抑制できる。
【００４５】
図３は、液体噴射ヘッド１０から用紙Ｐに向かってインクを噴射する様子を示す模式図である。液体噴射ヘッド１０内のインク２０は、ノズルプレート１１に形成されたノズル開口部１９から支持部８に支持された用紙Ｐに向かって噴射される。
【００４６】
ノズルプレート１１、支持部８は、導電性を有する部材、例えばステンレスなどの金属や導電性樹脂から形成される。本実施形態では、ノズルプレート１１と支持部８に電位を付与し、ノズルプレート１１の電位と支持部８の電位を同じにする。
【００４７】
支持部８を、導電性を有する部材で構成することがのぞましいが、支持部８を絶縁性部材で構成し、支持部８に配設される吸収材を、導電性を有する部材によって構成してもよい。
【００４８】
支持部８に形成された凹部２２には、液体噴射ヘッド１０に対向する対向部としての吸収部材２３が備えられる。吸収部材２３は、導電性材料を含んでおり、例えば、ポリエチレンまたはポリウレタンにカーボン等の導電性材料を混入させて発泡形成されている。或いは、ポリエチレンまたはポリウレタンの発泡材に導電性材料をメッキにて付与して吸収部材２３を形成することもできる。吸収部材２３は、支持部８と導通して備えられる。
【００４９】
図３の液体噴射ヘッド１０内のインク２０がノズル開口部１９から液柱２１となって噴射される。噴射された液柱２１は分裂し、用紙Ｐにメインのインク滴が着弾し、着弾したメインのインク滴の周辺には所謂サテライト状にインク滴が着弾する。
【００５０】
図４（ａ）、（ｂ）はインクミストが帯電する様子を説明するための模式図である。液柱２１がメインのインク滴やサテライト状のインク滴に分裂する際には、インクミストが発生し、図４（ａ）のインク滴２４となって浮遊する。インク滴２４は、電気的に２重層に構成される。インク滴２４のコア部分２４ａは正極性に帯電し、インク滴２４の表面側の部分２４ｂは負極性に帯電し、インク滴２４と接する空気は正極性に帯電している。
【００５１】
インク滴２４の表面側の水分が表面のマイナス電荷を持って蒸発することにより、図４（ｂ）のインク滴２４にプラスの電荷が多く残留することになり、インク滴２４がプラスに帯電する（レナード効果）。
【００５２】
このように、液体噴射ヘッド１０からインクが噴射された後、インク滴２４の表面側が蒸発することによるレナード効果によって、正極性に帯電されたインクミストとして空気中を浮遊する。インクミストの空気中を漂う時間が長くなると、蒸発量が多くなるため、インクミストの帯電量は多くなる。
【００５３】
図２（ｂ）のカバー部材１８を形成するガラスは、摩擦帯電列において、例えば、用紙Ｐを形成する紙などより正極性側に位置している。そのため、空気の流れにより、カバー部材１８は空気と摩擦し、カバー部材１８が正極性に帯電した状態となる。
【００５４】
また、本実施形態のプリンター１では、キャリッジ５が移動することにより、カバー部材１８は空気と摩擦し、カバー部材１８が正極性に帯電する帯電性がさらに高くなる。
【００５５】
従って、インクミストとカバー部材１８とは、同極性である正極性に帯電した状態であるので、インクミストとカバー部材１８とは反発しあう。そのため、インクミストがカバー部材１８に付着することが抑制される。カバー部材１８によって反発されたインクミストは、空気中を浮遊し、やがて吸収部材２３に吸収される。
【００５６】
以上、本実施形態で説明したプリンター１は、発光部１３と受光部１４とを有する検出部１２と、液体としてのインクを噴射する液体噴射ヘッド１０と、検出部１２を覆う透明なカバー部材１８と、導電性を有し、液体噴射ヘッド１０と対向し、搬送される被記録媒体としての用紙Ｐを支持する支持部８と、を備え、カバー部材１８の空気に対する帯電極性は、液体噴射ヘッド１０から噴射されたインクから生じたミストであるインクミストの帯電極性と同極性である。
【００５７】
この構成によれば、カバー部材１８は、インクミストを反発する。これにより、検出部１２を覆うカバー部材１８にインクミストが付着してしまうことが抑制されるので、検出部１２の検出精度が低下することを抑制できる。
【００５８】
また、カバー部材１８の空気に対する帯電極性は、正極性である。これにより、カバー部材１８は、正極性に帯電したミストを反発することができる。
【００５９】
また、カバー部材１８は、ガラスまたはナイロンである。これにより、カバー部材１８は、空気に対して正極性に帯電し、正極性に帯電したインクミストを反発することができる。
【００６０】
また、本実施形態では、ノズルプレート１１の電位と支持部８の電位は同じである。これにより、ノズルプレート１１と支持部８との間に、電界が発生しないので、インクミストが正極性に帯電する可能性が高くなる。
【００６１】
また、対向部としての吸収部材２３が支持部８と導通して備えられる。そのため、液体噴射ヘッド１０のノズルプレート１１の電位と吸収部材２３の電位は同じである。これにより、ノズルプレート１１と吸収部材２３との間に、電界が発生しないので、インクミストが正極性に帯電する可能性が高くなる。
【００６２】
（実施形態２）
実施形態２では、支持部８を接地する場合について説明する。図５（ａ）は、本実施形態における液体噴射ヘッド１０と支持部８を示す模式図である。
【００６３】
本実施形態では、支持部８を接地する。これにより、ノズルプレート１１と支持部８との間の電界強度が小さい。そのため、インクミストが正極性に帯電する可能性が高い。
【００６４】
また、実施形態１と同様に、対向部としての吸収部材２３は、支持部８と導通して備えられるので、吸収部材２３は支持部８を介して接地される。そのため、ノズルプレート１１と吸収部材２３との間の電界強度が小さいので、インクミストが正極性に帯電する可能性が高い。本実施形態の他の構成は、実施形態１で説明した構成と同じである。
【００６５】
（実施形態３）
実施形態３では、支持部８とノズルプレート１１を接地する場合について説明する。図５（ｂ）は、本実施形態における液体噴射ヘッド１０と支持部８を示す模式図である。
【００６６】
本実施形態では、支持部８とノズルプレート１１を接地する。これにより、ノズルプレート１１と支持部８との間に電界が発生しない。そのため、インクミストが正極性に帯電する可能性がさらに高い。
【００６７】
また、実施形態１と同様に、対向部としての吸収部材２３は、支持部８と導通して備えられるので、吸収部材２３は支持部８を介して接地される。そのため、ノズルプレート１１と吸収部材２３との間に電界が発生しないので、インクミストが正極性に帯電する可能性がさらに高い。本実施形態の他の構成は、実施形態１で説明した構成と同じである。
【００６８】
（実施形態４）
実施形態１〜実施形態３では、用紙Ｐの有無を検出する検出部１２について説明したが、実施形態４では、インクカートリッジ９に収容されるインクの有無を検出する検出部について説明する。
【００６９】
図６は、本実施形態におけるインクカートリッジ９の斜視図である。液体容器としてのインクカートリッジ９は、インクを収容する略直方体形状のインク収容部９０と、インクカートリッジ９に関する情報を蓄積等するためのメモリーが搭載された基板９５と、キャリッジ５にインクカートリッジ９を着脱するためのレバー９６とを備えている。
【００７０】
インクカートリッジ９の底面９３には、インクカートリッジ９がキャリッジ５に装着されたときに、キャリッジ５に設けられたインク供給針（図示せず）が挿入されるインク供給口９４が形成されている。使用前の状態では、インク供給口９４の開口はフィルムによって封止されている。
【００７１】
インク収容部９０は、内部にインクを収容するインク室９１を備えている。図６に示すように、インク室９１の内部の支持部８側には、直角二等辺三角柱状のプリズム９２が配置されている。プリズム９２は、インクカートリッジ９の底面９３に設けられている。キャリッジ５にこれらのインクカートリッジ９を支持部８と反対側から装着すると、インクカートリッジ９から液体噴射ヘッド１０へのインクの供給が可能となる。
【００７２】
図７は、本実施形態におけるインクカートリッジ９と検出部３０を示す模式図である。搬送方向Ｄ２において、インクカートリッジ９のプリズム９２と対向する位置に、検出部３０が備えられる。
【００７３】
回路基板３１には、発光ダイオードなどの発光部３２とフォトトランジスターなどの受光部３３が配置される。発光部３２のインクカートリッジ９側は、発光用レンズ３４によって覆われる。受光部３３のインクカートリッジ９側は、受光用レンズ３５によって覆われる。
【００７４】
発光部３２、発光用レンズ３４は、回路基板３１に備えられた保持部３６によって保持される。受光部３３、受光用レンズ３５は、回路基板３１に備えられた保持部３７によって保持される。検出部３０は、回路基板３１、発光部３２、受光部３３、発光用レンズ３４、受光用レンズ３５、保持部３６，３７を含んで構成される。
【００７５】
キャリッジ５の移動方向Ｄ１の移動により、プリズム９２は検出部３０と対向する位置になる。発光部３２から発光された光は、発光用レンズ３４によってプリズム９２を透過し、インク室９１内の反射光が再びプリズム９２を透過し、受光用レンズ３５を透過し、受光部３３によって受光される。
【００７６】
検出部３０は、インクカートリッジ９のインク室９１内のインクの有無を検出することができる。
【００７７】
本実施形態のプリンターは、発光部３２と、受光部３３と、発光部３２を覆う発光用レンズ３４と、受光部３３を覆う受光用レンズ３５と、を有する検出部３０と、インクを噴射する液体噴射ヘッド１０と、液体噴射ヘッド１０と対向し、用紙Ｐを支持する支持部８と、を備え、発光用レンズ３４と受光用レンズ３５の空気に対する帯電極性は、液体噴射ヘッド１０から噴射されたインクから生じたインクミストの帯電極性と同極性である。
【００７８】
この構成によれば、インクミストは発光用レンズ３４及び受光用レンズ３５に対して反発する。これにより、インクミストが、発光部３２を覆う発光用レンズ３４と受光部３３を覆う受光用レンズ３５に付着してしまうことが抑制されるので、検出部３０の検出精度が低下することを抑制できる。
【００７９】
また、発光用レンズ３４及び受光用レンズ３５の空気に対する帯電極性は、正極性である。これにより、発光用レンズ３４及び受光用レンズ３５は、正極性に帯電したインクミストを反発することができる。
【００８０】
また、発光用レンズ３４及び受光用レンズ３５は、ガラスまたはナイロンである。これにより、発光用レンズ３４及び受光用レンズ３５は、空気に対して正極性に帯電し、正極性に帯電したミストを反発することができる。
【００８１】
実施形態１〜実施形態４では、搬送方向Ｄ２と交わる方向に往復移動するキャリッジ５に液体噴射ヘッド１０を備えたプリンター１について説明したが、固定された液体噴射ヘッドに形成され、用紙Ｐの搬送方向Ｄ２と交わる方向に並ぶノズルからインクを噴射して画像を形成する液体噴射装置にも適用する。
【符号の説明】
【００８２】
１…インクジェット式プリンター、５…キャリッジ、８…支持部、９…インクカートリッジ、１０…液体噴射ヘッド、１１…ノズルプレート、１２…検出部、１３…発光部、１４…受光部、１８…カバー部材、２３…吸収部材、２４…インク滴、３０…検出部、３２…発光部、３３…受光部、３４…発光用レンズ、３５…受光用レンズ、Ｐ…用紙。
【図１】
2013119224.tif 000003
【図２】
2013119224.tif 000004
【図３】
2013119224.tif 000005
【図４】
2013119224.tif 000006
【図５】
2013119224.tif 000007
【図６】
2013119224.tif 000008
【図７】
2013119224.tif 000009